(57)【特許請求の範囲】
【請求項１】
略円筒形の口頸部を有し、該口頸部の外周面には雄螺条と該雄螺条の下方に位置する被係止手段とが配設されている容器に適用される、タンパーエビデント特性を有する合成樹脂製容器蓋であって、
合成樹脂製蓋本体と、該蓋本体内に組み込まれる合成樹脂製中栓とから構成され、
該蓋本体は、天面壁と、該天面壁の周縁から垂下する略円筒形のスカート壁とを有し、該スカート壁には周方向に延びる破断可能ラインが形成されており、該スカート壁は該破断可能ラインよりも上方の主部と該破断可能ラインよりも下方のタンパーエビデント裾部とに区画されており、該主部の内周面には該口頸部の該雄螺条に螺合せしめられる雌螺条が形成されており、該タンパーエビデント裾部には半径方向内方に突出して該口頸部の該被係止手段に係止せしめられる係止手段が形成されており、
該中栓は該蓋本体の該天面壁の内面に沿って延在せしめられる円形頂面壁と、該頂面壁から垂下する略円筒形の密封壁とを有し、該頂面壁は中央領域と張出周縁領域とを有し、該密封壁は該頂面壁の該中央領域と該張出周縁領域との境界から垂下し、該口頸部の内周面に密接せしめられ、該頂面壁の該張出周縁領域は該口頸部の頂面に密接せしめられる密接部と該口頸部を越えて半径方向外方に突出する突出部とを有し、
該中栓の該頂面壁の外径は、該蓋本体の該スカート壁の該主部の該内周面に形成されている該雌螺条のねじ山先縁によって規定される円の直径よりも大きく、且つ該蓋本体の該スカート壁の該主部の、該雌螺条よりも上方の部分の内径よりも小さく、該中栓の該頂面壁は該雌螺条よりも上方において軸線方向に自由に移動し得る合成樹脂製容器蓋において、
該突出部の下面には該密接部の下面を越えて下方に膨出せしめられ且つ周方向に連続して延在する環状である膨出突条が形成されている、ことを特徴とする合成樹脂製容器蓋。
【請求項２】
該蓋本体の該スカート壁における該主部の内周面には、該雌螺条の上端に近接した或いはこれに接続された片端から、該雌螺条の上端から離れる方向に実質上水平に延びる弧状係合突条が形成されており、該係合突条の突出縁によって規定される円の直径は該中栓の該頂面壁の外径よりも小さい、請求項１記載の合成樹脂製容器蓋。
【請求項３】
該中栓の該頂面壁における該中央領域の上面には、周方向に間隔をおいて半径方向に延びる複数個のリブが形成されている、請求項１又は２記載の合成樹脂製容器蓋。
【発明の詳細な説明】
【０００１】
【発明の属する技術分野】
本発明は、合成樹脂製蓋本体とこの蓋本体内に組み込まれる合成樹脂製中栓とから構成されている、タンパーエビデント特性を有する合成樹脂製容器蓋に関する。
【０００２】
【従来の技術】
清涼飲料等のための容器として、略円筒形の口頸部を有し、この口頸部の外周面には雄螺条とその下方に位置する被係止手段とが配設されている形態の容器が広く実用に供されている。かような容器は、ポリエチエレンテレフタレートの如き適宜の合成樹脂或いはガラスから形成されている。そして、上述したとおりの口頸部を有する容器のための容器蓋として、近時においては、合成樹脂製蓋本体とこの蓋本体内に組み込まれる合成樹脂製中栓とから構成されている、タンパーエビデント特性を有する合成樹脂製容器蓋が提案されている。かような形態の合成樹脂製容器蓋を開示している先行文献としては、特開平８−４８３５０号公報、特開平８−１６９４５５号公報、特開平８−２１７１０１号公報及び特開平８−２１７１０４号公報を挙げることができる。
【０００３】
上述した形態の合成樹脂製容器蓋における蓋本体は、天面壁とその周縁から垂下するスカート壁とを有する。スカート壁には周方向に延びる破断ラインが形成されており、スカート壁は破断ラインよりも上方の主部と破断ラインよりも下方のタンパーエビデント裾部とに区画されている。スカート壁の主部の内周面には容器の口頸部に形成されている雄螺条に螺合せしめられる雌螺条が形成されている。タンパーエビデント裾部には半径方向内方に突出して、容器の口頸部に形成されている被係止手段に係止せしめられる係止手段が形成されている。
【０００４】
上述した形態の合成樹脂製容器蓋における中栓の典型例は、蓋本体の天面壁の内面に沿って延在せしめられる円形頂面壁とこの頂面壁から垂下する略円筒形の密封壁とを有する。頂面壁は中央領域と張出周縁領域とを有する。容器の口頸部の内周面に密接せしめられる密封壁は中央領域と張出周縁領域との境界から垂下している。頂面壁の張出周縁領域は、容器の口頸部の頂面に密接せしめられる密接部と口頸部を越えて半径方向外方に突出する突出部とを有する。
【０００５】
上述した形態の容器蓋は、容器の口頸部に被嵌して閉回転方向に回転せしめ、口頸部の雄螺条に蓋本体の雌螺条を螺合せしめることによって、口頸部に装着される。蓋本体は閉方向への回転と共に下降せしめられ、蓋本体のタンパーエビデント裾部に配設されている係止手段は、弾性的に変形乃至変位して口頸部の被係止手段を通過し、しかる後に元の状態に復元して被係止手段に係止せしめられる。蓋本体の下降に付随して中栓も下降せしめられ、中栓の密封壁は口頸部内に進入して口頸部の内周面に密接せしめられ、中栓の張出周縁領域の密接部は口頸部の頂面に密接せしめられ、これによって口頸部が密封される。
【０００６】
容器の口頸部を開封する際には、蓋本体が開回転方向に回転せしめられる。かくすると、口頸部の被係止手段にタンパーエビデント裾部の係止手段が係止せしめられている故に上昇が阻止されているタンパーエビデント裾部に対してスカート壁の主部が回転と共に上昇せしめられることに起因して、スカート壁に形成されている破断ラインが破断されてタンパーエビデント裾部がスカート壁の主部から分離される（タンパーエビデント裾部に軸線方向に延びる破断ラインが形成されている場合には、かかる軸線方向破断ラインが破断されてタンパーエビデント裾部が無端環状から有端帯状に展開され、スカート壁を周方向に延びている破断ラインはその一部が破断されることなく維持され、従ってタンパーエビデント裾部はスカート壁の主部から完全には分離されない）。しかる後に、スカート壁の主部が更に回転と共に上昇せしめられることによって、スカート壁の内周面に形成されている雌螺条の上端部が中栓の突出部の下面に当接し、スカート壁の上昇に付随せしめて中栓を上昇せしめ、これによって口頸部の密封が解除される。蓋本体、更に詳しくはその天面壁とスカート壁の主部とが更に回転と共に上昇せしめられると、タンパーエビデント裾部を口頸部に残留せしめて（タンパーエビデント裾部がスカート壁の主部から完全には分離されない場合は、タンパーエビデント裾部を含めて）蓋本体と中栓とが口頸部から離脱され、かくして口頸部が開封される。
【０００７】
【発明が解決しようとする課題】
而して、本発明者等の経験によれば、上述した形態の従来の容器蓋には、次のとおりの解決すべき問題が存在する。特に雰囲気温度が比較的高い場合、蓋本体のスカート壁の内周面に形成されている雌螺条の上端部が中栓の頂面壁における張出周縁領域の突出部に当接すると、突出部が弾性的に上方に過剰に変形して半径方向内方に後退し、蓋本体の上昇に付随して中栓が上昇せしめられず、中栓を口頸部に残留せしめて蓋本体のみが口頸部から離脱せしめられてしまうことがある。中栓が口頸部に残留せしめられた場合には、口頸部から中栓を離脱せしめる煩雑な操作を付加的に遂行しなければならない。
【０００８】
従来の容器蓋における上記問題は、中栓の頂面壁の厚さを増大せしめて張出周縁領域における突出部の剛性を増大せしめることによって解決することができる。しかしながら、中栓の頂面壁の厚さを増大せしめると、中栓を形成するための必要材料量が増大し、中栓の製造コストが大幅に増大してしまう。また、中栓の頂面壁の厚さの増大に応じて蓋本体の高さ、従ってスカート壁の軸線方向長さも増大せしめることが必要であり、これに起因して蓋本体の製造コストも大幅に増大してしまう。
【０００９】
従来の容器蓋における上述した問題は、スカート壁の内周面に、雌螺条とは別個に雌螺条の上方を環状に延びる環状係合突条を形成し、かかる環状係合突条が中栓の頂面壁の張出周縁領域における突出部に係合せしめられようになすことによって、ある程度は解決することができる。しかしながら、市場に広く流通している多くの容器の口頸部においては、口頸部の雄螺条と容器蓋の雌螺条との螺合量をできるだけ長くするために、口頸部の上端近傍まで雄螺条が形成されており、それ故に、雄螺条と雌螺条との螺合を阻害することなく、スカート壁の上端部に上記環状係合突条を形成することができない。
【００１０】
本発明は上記事実に鑑みてなされたものであり、その主たる技術的課題は、製造コストの大幅な増大等の別個の問題を発生せしめることなく、雰囲気温度が比較的高い場合でも中栓を口頸部に残留せしめて蓋本体のみが口頸部から離脱されることが充分に回避される、新規且つ改良された合成樹脂製容器蓋を提供することである。
【００１１】
【課題を解決するための手段】
上記主たる技術的課題を解決するために、本発明においては、中栓の張出周縁領域における突出部の下面に密接部の下面を超えて下方に突出せしめられ且つ周方向に連続して延在する環状である膨出突条を形成し、これによって突出部の剛性を増大せしめる。膨出突条は張出周縁領域の下面にのみ形成されるので、中栓を形成するための必要材料量の増加は少量であり、中栓の製造コストが大幅に増大せしめられることはない。また、膨出突条は突出部の下面から下方に膨出する形態であるので、膨出突条の形成に起因して蓋本体の高さが増大せしめられることもない。
【００１２】
従って、本発明によれば、上記主たる技術的課題を達成する合成樹脂製容器蓋として、略円筒形の口頸部を有し、該口頸部の外周面には雄螺条と該雄螺条の下方に位置する被係止手段とが配設されている容器に適用される、タンパーエビデント特性を有する合成樹脂製容器蓋であって、
合成樹脂製蓋本体と、該蓋本体内に組み込まれる合成樹脂製中栓とから構成され、
該蓋本体は、天面壁と、該天面壁の周縁から垂下する略円筒形のスカート壁とを有し、該スカート壁には周方向に延びる破断可能ラインが形成されており、該スカート壁は該破断可能ラインよりも上方の主部と該破断可能ラインよりも下方のタンパーエビデント裾部とに区画されており、該主部の内周面には該口頸部の該雄螺条に螺合せしめられる雌螺条が形成されており、該タンパーエビデント裾部には半径方向内方に突出して該口頸部の該被係止手段に係止せしめられる係止手段が形成されており、
該中栓は該蓋本体の該天面壁の内面に沿って延在せしめられる円形頂面壁と、該頂面壁から垂下する略円筒形の密封壁とを有し、該頂面壁は中央領域と張出周縁領域とを有し、該密封壁は該頂面壁の該中央領域と該張出周縁領域との境界から垂下し、該口頸部の内周面に密接せしめられ、該頂面壁の該張出周縁領域は該口頸部の頂面に密接せしめられる密接部と該口頸部を越えて半径方向外方に突出する突出部とを有し、
該中栓の該頂面壁の外径は、該蓋本体の該スカート壁の該主部の該内周面に形成されている該雌螺条のねじ山先縁によって規定される円の直径よりも大きく、且つ該蓋本体の該スカート壁の該主部の、該雌螺条よりも上方の部分の内径よりも小さく、該中栓の該頂面壁は該雌螺条よりも上方において軸線方向に自由に移動し得る合成樹脂製容器蓋において、
該突出部の下面には該密接部の下面を越えて下方に膨出せしめられ且つ周方向に連続して延在する環状である膨出突条が形成されている、ことを特徴とする合成樹脂製容器蓋が提供される。
【００１５】
好ましくは、該蓋本体の該スカート壁における該主部の内周面には、該雌螺条の上端に近接した或いはこれに接続された片端から、該雌螺条の上端から離れる方向に実質上水平に延びる弧状係合突条が形成されており、該係合突条の突出縁によって規定される円の直径は該中栓の該頂面壁の外径よりも小さい。該中栓の該頂面壁における該中央領域の上面には、周方向に間隔をおいて半径方向に延びる複数個のリブが形成されているのが好適である。
【００１６】
【発明の実施の形態】
以下、本発明に従って構成された合成樹脂製容器蓋の好適実施形態を図示している添付図面を参照して、更に詳細に説明する。
【００１７】
図１を参照して説明すると、本発明に従って構成された全体を番号２で示す容器蓋は、合成樹脂製蓋本体４とこの蓋本体４内に組み込まれた合成樹脂製中栓６とから構成されている。蓋本体４はポリプロピレンの如き比較的硬質の合成樹脂から形成され、中栓６はポリエチレンの如き比較的軟質の合成樹脂から形成されているのが好ましい。
【００１８】
蓋本体４は、円形の天面壁８とこの天面壁８の周縁から垂下する略円筒形のスカート壁１０と有する。スカート壁１０には周方向に延びる破断可能ライン１２が形成されており、スカート壁１０は破断可能ライン１２よりも上方の主部１４と破断可能ライン１２よりも下方のタンパーエビデント裾部１６とに区画されている。スカート壁１０の内周面には下方を向いた環状肩面１８が形成されており、そしてかかる環状肩面１８から下方に延びる突条２０が周方向に適宜の間隔をおいて複数個形成されている。上記破断可能ライン１２は、突条２０の軸線方向中間部において、スカート壁１０の外周面から切断刃（図示していない）を作用せしめて、突条２０の少なくとも一部を残留せしめて、スカート壁１０を切断することによって形成される。突条２０の各々の切断されることなく残留せしめられた部分が所謂橋絡部２２を構成し、タンパーエビデント裾部１６は橋絡部２２を介してスカート壁１０の主部１４に接続されている。
【００１９】
スカート壁１０の主部１４の外周面には、その下端部近傍に、下方に向かって外径が漸次増大する円錐台形状部２４が形成されている。タンパーエビデント裾部１６の外周面も、下方に向かって外径が漸次増大する円錐台形状にせしめられている。主部１４の外周面における円錐台形状部２４の上方の部分には、そこに掛けられる指の滑りを防止するための凹凸形状２６が形成されている。主部１４の内周面には雌螺条２８が形成されている。かかる雌螺条２８には、周方向に適宜の間隔をおいて軸線方向に延びる切欠３０が形成されている。かかる切欠３０は容器の口頸部が開封される際の所謂通気路を構成する。
【００２０】
図１と共に図２を参照して説明を続けると、スカート壁１０の主部１４の内周面には、更に、弧状係合突条３２が形成されている。かかる係合突条３２は、雌螺条２８の上端に近接して位置する片端、即ち図２において右端から、雌螺条２８の上端から離れる方向、即ち図２において左方に、実質上水平に延びている。係合突条３２の上記片端は、雌螺条２８の上端に対して若干上方に変位して位置せしめられている。係合突条３２の周方向延在角度αは７０乃至１１０度、特に８０乃至１００度、程度であるのが好適である。後に更に言及する如くして容器の口頸部に形成されている雄螺条６２（図５も参照されたい）に雌螺条２８が螺合せしめられると、図２に二点鎖線で示す如く、雄螺条の上端部が係合突条３２の下方に進入せしめられる。特に容器の口頸部に形成されている雄螺条の上端が雌螺条２８の上端或いはそれより手前（下方）までしか延在しない場合には、所望ならば、雌螺条２８の上端に係合突条３２の上記片端を直接的に接続せしめることもできる。係合突条３２の横断面形状は雌螺条２８の横断面形状と実質上同一でよい。
【００２１】
タンパーエビデント裾部１６の内周面には係止手段３４が形成されている。図示の実施形態における係止手段３４は、周方向に連続して延在している環状突出片３６から構成されている。この環状突出片３６は、タンパーエビデント裾部１６の内周面に接続されている基縁から半径方向内方に向かって上方に傾斜して突出せしめられている。環状突出片３６には、その先端から基縁近傍まで延びるスリット３８が周方向に間隔をおいて形成されている。所望ならば、環状突出片３６に代えて、例えばフラップ片、弧状突条或いはラチェット爪（ラチェット爪の場合には、後述する容器の口頸部における被係止手段は環状あご部ではなくて対応するラチェット爪から構成される）等の他の適宜の形態の突出片、突条或いは突起等から係止手段を構成することもできる。
【００２２】
図１と共に図３及び図４を参照して説明すると、中栓６は、円形頂面壁４０とこの頂面壁４０の下面から垂下する略円筒形の密封壁４２とを有する。頂面壁４０は中央領域４４と張出周縁領域４６とを有し、密封壁４２は頂面壁４０における中央領域４４と張出周縁領域４６との境界から下方に実質上鉛直に垂下せしめられている。
【００２３】
中栓６の頂面壁４０における中央領域４４の中心には、円形凹部４８が形成されている（この凹部４８は、中栓６を射出成形する際の、合成樹脂素材進入口を構成する）。頂面壁４０の中央領域４４には、更に、図３及び図４に図示する如く、凹部４８の周囲に配置された４個の隆起リブ５０が形成されている。かかるリブ５０は周方向に等角度間隔（即ち９０度の角度間隔）をおいて配置され、半径方向に延在せしめられている。これらのリブ５０は頂面壁４０の中央領域４４の剛性を増大せしめる。
【００２４】
中栓６の頂面壁４０における張出周縁領域４６は密接部５２と突出部５４とを有する。後に言及するとおりにして容器蓋２が容器の口頸部に所要通りに装着されると、張出周縁領域４６の密接部５２の下面が容器の口頸部の頂面に密接せしめられ、張出周縁領域４６の突出部５４は容器の口頸部を越えて半径方向外方に突出する。図３に明確に図示する如く、張出周縁領域４６の突出部５４の下面には密接部５２の下面を越えて下方に膨出せしめられた膨出突条５６が形成されている。かかる膨出突条５６は周方向に連続して延在する環状であるのが好適である。所望ならば、周方向に間隔をおいて周方向に弧状に延びる複数個の膨出突条を形成することもできる。膨出突条５６の下面は実質上水平に延在する平面であるのが好都合である。膨出突条５６の外周面は実質上鉛直に延びているが、内周面は４０度程度でよい傾斜角度βで下方に向かって半径方向外方に傾斜せしめられている。
【００２５】
図３を参照して説明を続けると、中栓６の密封壁４２の外周面には半径方向外方に膨出せしめられた環状密封突条５８が形成されている。かかる密封突条５８の膨出表面は横断面において弧状である。密封壁４２の外径はその下端から密封突条５８の最突出部位に向かって漸次増大し、次いで上方に向かって漸次減少せしめられている。
【００２６】
図１に図示する如く、中栓６は蓋本体４内に組み込まれ、中栓６の頂面壁４０は蓋本体４の天面壁８の内面に沿って延在せしめられる。中栓６の頂面壁４０の外径は、蓋本体４のスカート壁１０における主部１４の内周面における、雌螺条２８のねじ山先縁及び係合突条３２の突出縁によって規定される円の直径よりも大きく設定されており、従って蓋本体４に中栓６を組み込んで図１に図示する状態にせしめる際には、中栓６の頂面壁４０の周縁部が幾分弾性変形せしめられる。蓋本体４のスカート壁１０における主部１４の、雌螺条２８及び係合突条３２よりも上方の部分の内径は、中栓６の頂面壁４０の外径よりも幾分大きく、従って雌螺条２８及び係合突条３２よりも上方において、中栓６は蓋本体４に対して軸線方向に自由に移動し得る。
【００２７】
蓋本体４とこれに組み込まれた中栓６とから構成された容器蓋２は、ポリエチレンテレフタレートの如き適宜の合成樹脂或いはガラスから形成することができる容器に適用される。図５を参照して説明すると、容器蓋２が適用される容器は略円筒形の口頸部６０を有する。口頸部６０の外周面には雄螺条６２とこの雄螺条６２の下方に位置する環状あご部６４が形成されている。環状あご部６４は、蓋本体４における係止手段３４が係止せしめられる被係止手段を構成する。
【００２８】
容器の口頸部６０に容器蓋２を装着して口頸部６０を密封する際には、口頸部６０に容器蓋２を被嵌し、蓋本体４を閉回転方向（図５において上方から見て時計方向）に回転せしめて、蓋本体４の雌螺条２８を口頸部６０の雄螺条に螺合せしめる。かくすると、蓋本体４は回転と共に下降せしめられ、蓋本体４のタンパーエビデント裾部１６に形成されている係止手段３４は弾性的に変形して口頸部６０の環状あご部６４を通過し、しかる後に弾性的に復元して環状あご部６４の下面に係止せしめられる。蓋本体４が下降せしめられると、これに組み込まれている中栓６も下降せしめられる。蓋本体４が図５に図示する位置まで下降せしめられると、これに付随して下降せしめられた中栓６の密封壁４２が口頸部６０内に挿入せしめられ、密封壁４２の外周面に形成されている密封突条５８が口頸部６０の内周面に密接せしめられ、そしてまた中栓６の頂面壁４０における張出周縁領域４６の密接部５２の下面が口頸部６０の頂面に密接せしめられ、これによって口頸部６０が密封される。中栓６の頂面壁４０における張出周縁領域４６の突出部５４は口頸部６０の外周面よりも半径方向外側に位置し、突出部５４が口頸部６０の頂面に密接せしめられることはない。
【００２９】
容器の口頸部６０を開封するためには、蓋本体４を開回転方向（図５において上方から見て反時計方向）に回転せしめる。かくすると、タンパーエビデント裾部１６は、その内周面に形成されている係止手段３４が口頸部６０の環状あご部６４に係止されている故に、上昇が阻止されるが、蓋本体４のその他の部分は回転に応じて上昇せしめられ、これに起因してスカート壁１０に形成されている破断可能ライン１２、更に詳しくはその橋絡部２２に相当な応力が生成されて、橋絡部２２が破断され、タンパーエビデント裾部１６がスカート壁１０の主部１４から分離される。次いで、蓋本体４の、タンパーエビデント裾部１６以外の部分は回転と共に自由に上昇せしめられ、口頸部６０から離脱される。而して、破断可能ライン１２が破断された後に、蓋本体４の、タンパーエビデント裾部１６以外の部分が回転と共に上昇せしめられる際には、図５に二点鎖線で図示する如く、スカート壁１０の主部１４に形成されている係合突条３２が、中栓６の頂面壁４０における張出周縁領域４６の突出部５４に、更に詳細には突出部５４の下面に形成されている膨出突条５６に当接せしめられ、これに起因して蓋本体４に付随して中栓６も上昇せしめられて口頸部６０から離脱され、かくして口頸部６０が開封される。本発明に従って改良された図示の容器蓋２においては、（１）中栓６の頂面壁４０における張出周縁領域４６の突出部５４には膨出突条５６が形成されていて、突出部５４の剛性が増大せしめられており、それ故に頂面壁４０の張出周縁領域４６が弾性的に撓んで蓋本体４の係合突条３２から離隔してしまうことが充分確実に防止され、そしてまた（２）７０乃至１１０度、特に８０乃至１００度であるのが好ましい角度範囲αに渡って実質上水平に延びる弧状係合手段３２が蓋本体４に形成されており、かかる係合手段３２が上記角度範囲に渡って中栓４の頂面壁４０における張出周縁領域４６の突出部５４に当接せしめられる故に、係合手段３２と頂面壁４０における張出周縁領域４６の突出部５４との当接が充分に安定している。それ故に、蓋本体４が口頸部６０から離脱される際には、中栓６も口頸部６０から充分確実に離脱され、中栓６を口頸部６０に残留せしめて蓋本体４のみが口頸部６０から離脱されてしまうことは充分に回避される。
【００３０】
図示の実施形態においては、容器の口頸部６０を開封する際には、蓋本体４のスカート壁１０に形成されている破断可能ライン１２における全ての橋絡部２２が破断され、タンパーエビデント裾部１６がスカート壁１０の主部１４から分離され、タンパーエビデント裾部１６は口頸部６０から離脱されることなく口頸部６０に残留せしめられる。所望ならば、破断可能ライン１０における橋絡部２２の内の少なくとも１個を破断されることなく維持される強橋絡部にせしめると共に、タンパーエビデント裾部１６に軸線方向に延びる破断可能ライン（図示していない）を形成し、口頸部６０を開封する際には上記軸線方向破断ラインが破断されてタンパーエビデント裾部１６が無端環状から有端帯状に展開され、破断されることなく維持される上記強橋絡部を介してスカート壁１０の主部１４に接続され続けるタンパーエビデント裾部１６も口頸部６０から離脱されるようになすこともできる。
【００３１】
【実施例】
次に、本発明の容器蓋の実施例を比較例と共に説明する。
【００３２】
実施例１
図１乃至４に図示するとおりの形態の容器蓋を５０個製作した。蓋本体はポリプロピレンから圧縮成形し、中栓はポリエチレンから射出成形した。蓋本体及び中栓の主要部寸法は次のとおりであった。
蓋本体の全高さＨ・・・・・・・・・・・・・・・・・２０．３０ｍｍ
雌螺条のねじ山先端縁によって規定される直径Ｄ１・・２５．７０ｍｍ
係合突条の突出縁によって規定される直径Ｄ２・・・・２５．７０ｍｍ
係合突条の延在角度α・・・・・・・・・・・・・・・９０度
中栓の頂面壁の外径Ｄ３・・・・・・・・・・・・・・２７．２５ｍｍ
頂面壁の張出周縁領域における密接部の外径Ｄ４・・・２５．２０ｍｍ
頂面壁の張出周縁領域における密接部の厚さＴ１・・・０．９３ｍｍ
頂面壁の張出周縁領域における突出部の厚さＴ２・・・１．５０ｍｍ
（膨出突条を含む）
頂面壁の膨出突条の内周面の傾斜角度β・・・・・・・４０度
頂面壁のリブの隆起厚さＴ３・・・・・・・・・・・・０．２０ｍｍ
頂面壁のリブの長さＬ・・・・・・・・・・・・・・・２．８０ｍｍ
頂面壁のリブの幅Ｗ・・・・・・・・・・・・・・・・１．２０ｍｍ
４０度の雰囲気中において、かような容器蓋を図５に図示するとりの形態の容器の口頸部に装着した。容器はポリエチレンテレフタレート製であった。そして４０度の雰囲気中で、蓋本体を開回転方向に回転せしめて口頸部から離脱せしめ、中栓が口頸部に残留せしめられたか否かを検査した。その結果は下記表１に示すとおりであった。
【００３３】
実施例２
蓋本体のスカート壁における主部の内周面に係合突条が存在しないことを除いて、実施例１と同一の容器蓋を５０個し、実施例１と同様の検査を遂行した。その結果は下記表１に示すとおりであった。
【００３４】
実施例３
中栓の頂面壁における張出周縁領域の突出部に膨出突条が存在しないことを除いて、実施例１と同一の容器蓋を５０個し、実施例１と同様の検査を遂行した。その結果は下記表１に示すとおりであった。
【００３５】
比較例
蓋本体のスカート壁における主部の内周面に係合突条が存在しないこと、及び中栓の頂面壁における張出周縁領域の突出部に膨出突条が存在しないことを除いて、実施例１と同一の容器蓋を５０個し、実施例１と同様の検査を遂行した。その結果は下記表１に示すとおりであった。
【００３６】
【表１】
0004164135.tif 000002
【００３７】
【発明の効果】
本発明の容器蓋によれば、製造コストの大幅な増大等の別個の問題を発生せしめることなく、雰囲気温度が比較的高い場合でも中栓を口頸部に残留せしめて蓋本体のみが口頸部から離脱されることが充分に回避される。
【図面の簡単な説明】
【図１】本発明に従って構成された容器蓋の好適実施形態を、一部を断面で示す側面図。
【図２】図１に示す容器蓋の蓋本体におけるスカート壁の主部に形成されている雌螺条及び係合突条を示す展開図。
【図３】図１に示す容器蓋の中栓を示す断面図。
【図４】図１に示す容器蓋の中栓を示す平面図。
【図５】図１に示す容器蓋を容器の口頸部に装着した状態を、一部を断面で示す側面図。
【符号の説明】
２：容器蓋
４：蓋本体
６：中栓
８：天面壁
１０：スカート壁
１２：破断可能ライン
１４：スカート壁の主部
１６：タンパーエビデント裾部
２８：雌螺条
３２：係合突条
３４：係止手段
４０：頂面壁
４２：密封壁
４４：頂面壁の中央領域
４６：頂面壁の張出周縁領域
５０：リブ
５２：張出周縁領域の密接部
５４：張出周縁領域の突出部
５６：膨出突条
６０：容器の口頸部
６２：雄螺条
６４：環状あご部（被係止手段）
【図１】
0004164135.tif 000003
【図２】
0004164135.tif 000004
【図３】
0004164135.tif 000005
【図４】
0004164135.tif 000006
【図５】
0004164135.tif 000007